【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
光軸方向において物体側から順に、変倍時に前記光軸方向へ移動する少なくとも一つのレンズ群を有するズームレンズ部と、該ズームレンズ部によって形成された光学像を電気的信号に変換する撮像素子とを備えたズーム光学系であって、
前記ズームレンズ部は、
前記光軸方向における最も物体側に位置され変倍時に前記光軸方向において固定された正の屈折力を有する第１レンズ群と、
前記第１レンズ群の像側に位置された負の屈折力を有する第２レンズ群と、
前記第２レンズ群の像側に位置され一つ以上のレンズ群を有すると共に正の屈折力を有する後部群とを備え、
前記撮像素子が少なくとも変倍時に前記光軸方向へ移動するようにした
ことを特徴とするズーム光学系。
【請求項２】
以下の条件式（１）を満足するようにした
ことを特徴とする請求項１に記載のズーム光学系。
（１）１．０＜ＳＤｔ／ＳＤｗ＜１．４
但し、
ＳＤｔ：望遠端におけるズームレンズ部の最も物体側の面から撮像面までの光軸上の距離
ＳＤｗ：広角端におけるズームレンズ部の最も物体側の面から撮像面までの光軸上の距離
とする。
【請求項３】
前記ズームレンズ部に、変倍時又は合焦時において、前記撮像素子との光軸上における距離が一定に保持された状態で移動する少なくとも一つのレンズ群を設けた
ことを特徴とする請求項１又は請求項２に記載のズーム光学系。
【請求項４】
変倍時に光軸方向へ移動する少なくとも一つのレンズ群を有するズームレンズ部と、該ズームレンズ部によって形成された光学像を電気的信号に変換する撮像素子と、前記ズームレンズ部のレンズ群を前記光軸方向へ移動させるレンズ駆動機構とを備え、前記ズームレンズ部と前記撮像素子が前記光軸方向において物体側から順に配置された撮像装置であって、
前記ズームレンズ部は、
前記光軸方向における最も物体側に位置され変倍時に前記光軸方向において固定された正の屈折力を有する第１レンズ群と、
前記第１レンズ群の像側に位置された負の屈折力を有する第２レンズ群と、
前記第２レンズ群の像側に位置され一つ以上のレンズ群を有すると共に正の屈折力を有する後部群とを備え、
前記撮像素子が少なくとも変倍時に前記光軸方向へ移動するようにした
ことを特徴とする撮像装置。
【請求項５】
前記ズームレンズ部のレンズ群を前記光軸方向へ移動させる前記レンズ駆動機構によって前記撮像素子を前記光軸方向へ移動させるようにした
ことを特徴とする請求項４に記載の撮像装置。
【手続補正２】
【補正対象書類名】明細書
【補正対象項目名】０００４
【補正方法】変更
【補正の内容】
【０００４】
奥行き方向における薄型化に好適なズーム光学系及び撮像装置が知られている（例えば、特許文献１参照）。
【手続補正３】
【補正対象書類名】明細書
【補正対象項目名】０００５
【補正方法】変更
【補正の内容】
【０００５】
また、約５倍程度の高変倍化を図ったズーム光学系及び撮像装置が知られている（例えば、特許文献２参照）。
【手続補正４】
【補正対象書類名】明細書
【補正対象項目名】０００７
【補正方法】変更
【補正の内容】
【０００７】
ところが、特許文献１に記載されたズーム光学系にあっては、変倍比が３倍程度と小さく、市場の要求を十分に満足する変倍率を有していない。
【手続補正５】
【補正対象書類名】明細書
【補正対象項目名】０００８
【補正方法】変更
【補正の内容】
【０００８】
また、特許文献２に記載されたズーム光学系にあっては、高変倍化が図られているものの、高変倍化に伴って第１レンズ群を通過する光線の有効径が増大するため、光学全長が長くなり、十分な小型化及び薄型化が図られていない。
【手続補正６】
【補正対象書類名】明細書
【補正対象項目名】０００９
【補正方法】変更
【補正の内容】
【０００９】
従って、従来のズーム光学系においては、小型化と高変倍化の両立を確保することが困難であった。
【手続補正７】
【補正対象書類名】明細書
【補正対象項目名】００１１
【補正方法】変更
【補正の内容】
【００１１】
ズーム光学系は、上記した課題を解決するために、光軸方向において物体側から順に、変倍時に前記光軸方向へ移動する少なくとも一つのレンズ群を有するズームレンズ部と、該ズームレンズ部によって形成された光学像を電気的信号に変換する撮像素子とを備え、前記ズームレンズ部は、前記光軸方向における最も物体側に位置され変倍時に前記光軸方向において固定された正の屈折力を有する第１レンズ群と、前記第１レンズ群の像側に位置された負の屈折力を有する第２レンズ群と、前記第２レンズ群の像側に位置され一つ以上のレンズ群を有すると共に正の屈折力を有する後部群とを備え、前記撮像素子が少なくとも変倍時に前記光軸方向へ移動するようにしたものである。
【手続補正８】
【補正対象書類名】明細書
【補正対象項目名】００１７
【補正方法】変更
【補正の内容】
【００１７】
撮像装置は、上記した課題を解決するために、変倍時に光軸方向へ移動する少なくとも一つのレンズ群を有するズームレンズ部と、該ズームレンズ部によって形成された光学像を電気的信号に変換する撮像素子と、前記ズームレンズ部のレンズ群を前記光軸方向へ移動させるレンズ駆動機構とを備え、前記ズームレンズ部と前記撮像素子が前記光軸方向において物体側から順に配置され、前記ズームレンズ部は、前記光軸方向における最も物体側に位置され変倍時に前記光軸方向において固定された正の屈折力を有する第１レンズ群と、前記第１レンズ群の像側に位置された負の屈折力を有する第２レンズ群と、前記第２レンズ群の像側に位置され一つ以上のレンズ群を有すると共に正の屈折力を有する後部群とを備え、前記撮像素子が少なくとも変倍時に前記光軸方向へ移動するようにしたものである。
【手続補正９】
【補正対象書類名】明細書
【補正対象項目名】００２１
【補正方法】変更
【補正の内容】
【００２１】
本発明ズーム光学系は、光軸方向において物体側から順に、変倍時に前記光軸方向へ移動する少なくとも一つのレンズ群を有するズームレンズ部と、該ズームレンズ部によって形成された光学像を電気的信号に変換する撮像素子とを備えたズーム光学系であって、前記ズームレンズ部は、前記光軸方向における最も物体側に位置され変倍時に前記光軸方向において固定された正の屈折力を有する第１レンズ群と、前記第１レンズ群の像側に位置された負の屈折力を有する第２レンズ群と、前記第２レンズ群の像側に位置され一つ以上のレンズ群を有すると共に正の屈折力を有する後部群とを備え、前記撮像素子が少なくとも変倍時に前記光軸方向へ移動するようにしたことを特徴とする。
【手続補正１０】
【補正対象書類名】明細書
【補正対象項目名】００２３
【補正方法】変更
【補正の内容】
【００２３】
本発明撮像装置は、変倍時に光軸方向へ移動する少なくとも一つのレンズ群を有するズームレンズ部と、該ズームレンズ部によって形成された光学像を電気的信号に変換する撮像素子と、前記ズームレンズ部のレンズ群を前記光軸方向へ移動させるレンズ駆動機構とを備え、前記ズームレンズ部と前記撮像素子が前記光軸方向において物体側から順に配置された撮像装置であって、前記ズームレンズ部は、前記光軸方向における最も物体側に位置され変倍時に前記光軸方向において固定された正の屈折力を有する第１レンズ群と、前記第１レンズ群の像側に位置された負の屈折力を有する第２レンズ群と、前記第２レンズ群の像側に位置され一つ以上のレンズ群を有すると共に正の屈折力を有する後部群とを備え、前記撮像素子が少なくとも変倍時に前記光軸方向へ移動するようにしたことを特徴とする。